(57)【要約】【課題】強制的にログアウト処理を実行する画像形成装置において、セキュリティ及びユーザーの動画視聴を確保することが可能な画像形成装置を提供する。【解決手段】ユーザーのログイン後、ユーザーによる操作が検出されない無操作期間が所定時間以上になった場合に、強制的にログアウト処理を実行する画像形成装置であって、ユーザーからの操作を受付ける操作パネルと、無操作期間を計測するタイマーを備え、前記操作により動画再生指示を受付けた場合には(S308:YES)、指示された動画を再生し(S309)、動画再生中はタイマーを停止させ、指示された動画の再生が終了するまで待ってから(S310)、前記タイマーによる無操作期間の計測を開始させる(S302)。【選択図】図３
2015070584.tif 000002
【特許請求の範囲】
【請求項１】
ユーザーのログイン後、ユーザーによる操作が検出されない無操作期間が所定時間以上経過した場合に、強制的にログアウト処理を実行する画像形成装置であって、
ユーザーからの操作を受付ける操作受付手段と、
前記操作により動画再生指示を受付けた場合に、指示された動画を再生する動画再生手段と、
無操作期間を計測するタイマー手段と、
動画再生中は前記タイマー手段による無操作期間の計測を停止させ、動画の再生が終了するまで待ってから、前記タイマー手段による無操作期間の計測を開始させる制御手段と、
を備えることを特徴とする画像形成装置。
【請求項２】
前記動画再生が終了するまで待っている間に、前記操作受付手段により当該動画再生の停止指示が受付けられた場合には、前記制御手段は、動画再生が終了するまで待たずに前記タイマー手段による無操作期間の計測を開始させる
ことを特徴とする請求項１記載の画像形成装置。
【請求項３】
前記操作により複数の動画再生指示が受付けられた場合には、前記制御手段は、指示された前記複数の動画再生が全て終了するまで待ってから、前記タイマー手段による無操作期間の計測を開始させる
ことを特徴とする請求項１記載の画像形成装置。
【請求項４】
表示すべきコンテンツを切り換えるための複数のタブと、選択されたタブに対応するコンテンツを表示する表示手段と、
選択されたタブに対応するコンテンツが動画であるか否かを判定する判定手段と、
を備え、
前記操作受付手段は、前記表示手段に表示されている複数のタブの中からタブの選択をユーザーから受付け、
前記制御手段は、動画再生中にタブの選択が受付けられた場合において、選択されたタブに対応するコンテンツが動画でない場合には、動画再生が終了するまで待たずに前記タイマー手段による無操作期間の計測を開始させる
ことを特徴とする請求項１記載の画像形成装置。
【請求項５】
前記動画再生の終了を待っている間に、前記操作受付手段により新たな動画再生の指示が受付けられた場合には、前記制御手段は、新たな動画再生が終了するまで待ってから、前記タイマー手段による無操作期間の計測を開始させる
ことを特徴とする請求項１記載の画像形成装置。
【請求項６】
ユーザーのログイン後、ユーザーによる操作が検出されない無操作期間が所定時間以上経過した場合に、強制的にログアウト処理を実行する動画再生装置であって、
ユーザーからの操作を受付ける操作受付手段と、
前記操作により動画再生指示を受付けた場合に、指示された動画を再生する動画再生手段と、
無操作期間を計測するタイマー手段と、
動画再生中は前記タイマー手段による無操作期間の計測を停止させ、動画の再生が終了するまで待ってから、前記タイマー手段による無操作期間の計測を開始させる制御手段と、
を備えることを特徴とする動画再生装置。
【発明の詳細な説明】
【技術分野】
【０００１】
本発明は、ユーザーのログイン後、ユーザーによる操作が検出されない無操作期間が所定時間以上になった場合に、強制的にログアウト処理を実行する、動画再生可能な画像形成装置及び動画再生装置に関し、特に動画再生時における強制ログアウト処理を制御する技術に関する。
【背景技術】
【０００２】
近年、プリンター、複写機等の画像形成装置においては、多機能化が進み、ウェブサー
バーへのアクセス機能を備え、ウェブサーバーから取得した動画等のコンテンツを再生し
て操作パネル等の表示部に表示させることが可能な画像形成装置が利用されるようになっ
てきている。
これにより、ユーザーは、画像形成装置を用いてウェブサーバーから所望のコンテンツ
を取得して表示部に表示させることができる。その結果、例えば、画像形成装置に印刷処
理を実行させている間に、所望のコンテンツを表示部に表示させて視聴することができ、
印刷待ち時間を有効に活用することができる。
【先行技術文献】
【特許文献】
【０００３】
【特許文献１】２００９−２７１７５１号公報
【発明の概要】
【発明が解決しようとする課題】
【０００４】
画像形成装置のように、複数のユーザーによって共用される装置においては、セキュリティを確保するため、使用開始時にログイン処理、使用終了時にログアウト処理が行われ、認証されたユーザーのみが当該装置を使用できるように管理されている場合が多い（例えば、特許文献１参照）。
そして、このような画像形成装置においては、ユーザーがログインした後、ユーザーによる操作が検出されない無操作期間が所定時間以上になり、当該ユーザーが当該画像形成装置から離れている可能性が高い場合には、他人が不正にアクセスしないように強制的にログアウト処理が実行される。
【０００５】
しかしながら、ユーザーが、画像形成装置を使用して動画を視聴しているような場合には、画像形成装置を操作しないので、上記のような強制的にログアウト処理が実行される画像形成装置においては、ユーザーが動画を視聴している途中で、無操作期間が所定時間以上になってしまう場合が生じてしまい、ユーザーの動画の視聴が途中で妨げられるという不具合が生じる。
【０００６】
一方、ユーザーの動画の視聴を確保するために、強制的なログアウト処理の実行を抑止することも考えられるが、このような抑止を行った場合には、例えば、ユーザーがログアウト処理を実行するのを忘れて画像形成装置を離れてしまったような場合に、認証されていない他のユーザーが画像形成装置に不正にアクセスするおそれがあり、セキュリティを確保できないという不具合が生じる。
【０００７】
本発明は、上述のような問題に鑑みて為されたものであって、ユーザーのログイン後、ユーザーによる操作が検出されない無操作期間が所定時間以上になった場合に、強制的にログアウト処理を実行する画像形成装置及び動画再生装置において、セキュリティ及びユーザーの動画視聴を確保することが可能な画像形成装置及び動画再生装置を提供することを目的とする。
【課題を解決するための手段】
【０００８】
上記目的を達成するため、本発明の一形態に係る画像形成装置は、ユーザーのログイン後、ユーザーによる操作が検出されない無操作期間が所定時間以上経過した場合に、強制的にログアウト処理を実行する画像形成装置であって、ユーザーからの操作を受付ける操作受付手段と、前記操作により動画再生指示を受付けた場合に、指示された動画を再生する動画再生手段と、無操作期間を計測するタイマー手段と、動画再生中は前記タイマー手段による無操作期間の計測を停止させ、動画の再生が終了するまで待ってから、前記タイマー手段による無操作期間の計測を開始させる制御手段と、を備える。
【０００９】
又、本発明の一形態に係る動画再生装置は、ユーザーのログイン後、ユーザーによる操作が検出されない無操作期間が所定時間以上経過した場合に、強制的にログアウト処理を実行する動画再生装置であって、ユーザーからの操作を受付ける操作受付手段と、前記操作により動画再生指示を受付けた場合に、指示された動画を再生する動画再生手段と、無操作期間を計測するタイマー手段と、動画再生中は前記タイマー手段による無操作期間の計測を停止させ、動画の再生が終了するまで待ってから、前記タイマー手段による無操作期間の計測を開始させる制御手段と、を備える。
【発明の効果】
【００１０】
上記構成を備えることにより、動画再生指示が受付けられた場合には、指示された動画の再生が終了するまで待ってから無操作期間の計測が開始されるので、動画再生中に強制ログアウト処理が実行されないようにすることができ、ユーザーの動画視聴が動画再生途中で妨げられないようにし、ユーザーの動画視聴を確保することができる。
又、動画再生が終了した後は、無操作期間の計測が開始され、無操作期間が所定時間以上になると強制ログアウト処理が実行されるので、ユーザーが動画視聴後にログアウトするのを忘れて、画像形成装置から離れてしまった場合に、認証されていない他のユーザーが画像形成装置に不正にアクセスするのを抑止してセキュリティを確保することができる。
【００１１】
ここで、前記動画再生が終了するまで待っている間に、前記操作受付手段により当該動画再生の停止指示が受付けられた場合には、前記制御手段は、動画再生が終了するまで待たずに前記タイマー手段による無操作期間の計測を開始させることとしてもよい。
これにより、動画再生が終了するまで待っている間に、ユーザーが当該動画の再生を停止した場合には、動画再生が終了するまで待たずに無操作期間の計測が開始されるので、ユーザーが動画再生を停止した場合にまで不必要に無操作期間の計測の開始を遅らせて強制ログアウト処理が実行されるのが遅れないようにすることができ、その分、早く他人の不正アクセスを防止することができ、セキュリティを高めることができる。
【００１２】
ここで、前記操作により複数の動画再生指示が受付けられた場合には、前記制御手段は、指示された前記複数の動画再生が全て終了するまで待ってから、前記タイマー手段による無操作期間の計測を開始させることとしてもよい。
これにより、複数の動画再生指示が受付けられた場合には、再生指示された全ての動画再生が1回終了するまで待ってから無操作期間の計測が開始されるので、ユーザーが複数の再生中の動画の内、何れの動画を視聴していたとしても動画再生中に強制ログアウト処理が実行されないようにすることができ、ユーザーの動画視聴が動画再生途中で妨げられないようにし、ユーザーの動画視聴を確保することができる。
【００１３】
ここで、表示すべきコンテンツを切り換えるための複数のタブと、選択されたタブに対応するコンテンツを表示する表示手段と、選択されたタブに対応するコンテンツが動画であるか否かを判定する判定手段と、を備え、前記操作受付手段は、前記表示手段に表示されている複数のタブの中からタブの選択をユーザーから受付け、前記制御手段は、動画再生中にタブの選択が受付けられた場合において、選択されたタブに対応するコンテンツが動画でない場合には、動画再生が終了するまで待たずに前記タイマー手段による無操作期間の計測を開始させることとしてもよい。
【００１４】
これにより、表示手段に表示されるコンテンツがタブにより切り換えられる場合においては、動画再生中であっても選択されたタブに対応するコンテンツが動画でない場合には、
無操作期間の計測が開始されるので、再生中の動画が表示手段に表示されておらず、ユーザーが動画を視聴していない場合にまで不必要に無操作期間の計測の開始を遅らせて強制ログアウト処理が実行されるのが遅れないようにすることができ、その分、早く他人の不正アクセスを防止することができ、セキュリティを高めることができる。
【００１５】
ここで、前記動画再生の終了を待っている間に、前記操作受付手段により新たな動画再生の指示が受付けられた場合には、前記制御手段は、新たな動画再生が終了するまで待ってから、前記タイマー手段による無操作期間の計測を開始させることとしてもよい。
これにより、動画再生の終了を待っている間に、新たな動画再生の指示が受付けられた場合には、新たな動画再生が１回終了するまで待ってから、無操作期間の計測が開始されるので、動画再生中にユーザーが新たな動画の再生を開始し、新たな動画の視聴を開始した場合においても当該動画の視聴が動画再生途中で妨げられないようにし、ユーザーの動画視聴を確保することができる。
【図面の簡単な説明】
【００１６】
【図１】本実施の形態に係る画像処理システムの構成の概略を示す図である。
【図２】画像形成装置１の構成を示す機能ブロック図である。
【図３】オートリセット制御処理の動作を示すフローチャートである。
【図４】動画コンテンツを含むウェブページのソースコードの具体例を示す。
【図５】オートリセット制御処理の動作の変形例１を示すフローチャートである。
【図６】オートリセット制御処理の動作の変形例２を示すフローチャートである。
【図７】オートリセット制御処理の動作の変形例３を示すフローチャートである。
【図８】オートリセット制御処理の動作の変形例４を示すフローチャートである。
【発明を実施するための形態】
【００１７】
(実施の形態)
［１］画像処理システムの構成
図１は、本実施の形態に係る画像処理システムの構成の概略を示す図である。本実施の形態に係る画像処理システムは、画像形成装置１、端末装置（例えば、パーソナルコンピュータ）２、３、ウェブサーバー２０、ＬＡＮ（Local Area Network）４、インターネット２１等から構成される。なお、図１に図示されているウェブサーバーは、説明の便宜上1つとしているが、ウェブサーバーは、１つに限定されず、インターネット２１に接続されている全てのウェブサーバーが含まれる。
【００１８】
画像形成装置１、端末装置２、３は、ＬＡＮ４と接続され、ＬＡＮ４は、図示しないルーターを介してインターネット２１と接続され、画像形成装置１、端末装置２、３からそれぞれインターネット２１に接続されているウェブサーバー（ウェブサーバー２０等）にアクセスできるように構成されている。
図２は、画像形成装置１の構成を示す機能ブロック図である。画像形成装置１は、制御部１０、画像プロセス部３０、給紙部４０、定着装置５０、画像読取部６０、操作パネル７０等から構成される。
【００１９】
制御部１０は、所謂コンピュータであって、ＣＰＵ１００、通信インターフェース（Ｉ／Ｆ）部１０１、ＲＯＭ１０２、ＲＡＭ１０３、ＨＤＤ（Hard Disk Drive）１０４、タイマー１０５等から構成され、画像形成装置１の全体の動作を制御する。
通信Ｉ／Ｆ部１０１は、ＬＡＮカード、ＬＡＮボードといったＬＡＮ４に接続するためのインターフェースである。ＲＯＭ１０２には、画像プロセス部３０、給紙部４０、定着装置５０、画像読取部６０、操作パネル７０を制御するための制御プログラム、後述するオートリセット制御処理を実行するためのプログラム等が格納されている。ＲＡＭ１０３は、ＣＰＵ１００のプログラム実行時のワークエリアとして用いられる。
【００２０】
ＨＤＤ１０４には、通信Ｉ／Ｆ部１０１や画像読取部６０から入力される印刷用画像データ１０４１、ブラウザプログラム１０４２、動画再生プログラム１０４３、ＯＳ（Operating System）１０４４等が格納されている。
ブラウザプログラム１０４２は、インターネット２１を介してウェブサーバーから提供されるウェブページを閲覧するためのアプリーケーションソフトウェアである。動画再生プログラム１０４３は、ブラウザプログラム１０４２にプラグインされているプログラムであって、ブラウザプログラム１０４２上で起動され、ウェブページに含まれる動画コンテンツを再生するためのプログラムである。
【００２１】
ここで、「動画コンテンツ」とは、少なくとも画像情報を含み、所定の順序で時系列的に連続的に再生される静止画像の集合体であって、例えば、アニメーション、映画、ニュース映像、スライドショーなどのコンテンツのことをいう。
動画再生プログラム１０４３が実行されることにより、ウェブサーバーから動画コンテンツのデータが取得され、デコードされて動画コンテンツが再生される。動画再生プログラム１０４３としては、例えば、Ｆｌａｓｈ  Ｐｌａｙｅｒ（登録商標）を用いることができる。
【００２２】
ＯＳ１０４４は、制御部１０の動作を管理するためのプログラムであり、ＲＯＭ１０２及びＨＤＤ１０４に格納されている各種プログラムは、ＯＳ１０４４の管理下で実行される。ＯＳ１０４４としては、例えば、ＷＩＮＤＯＷＳ(登録商標)、ＵＮＩＸ（登録商標）などを用いることができる。
タイマー１０５は、後述するオートリセット制御処理において、操作パネル７０の操作が無操作である無操作期間の計測を行う。
【００２３】
画像プロセス部３０は、図示しない感光体ドラム、帯電器、現像器、露光部等から構成され、制御部１０又は画像読取部６０から入力された印刷用の画像データに基づき、給紙部４０から供給される記録シートとしての用紙に画像を形成することにより印刷処理を実行する。給紙部４０は、制御部１０からの指示に応じて記録シートとしての用紙を画像プロセス部３０に供給する。定着装置５０は、制御部１０からの指示に応じて記録シートとしての用紙に形成された画像を、当該用紙に熱定着させる。
【００２４】
画像読取部６０は、図示しないスキャナなどの画像入力装置から構成され、用紙等の記録シートに記載されている文字や図形などの情報を読取り、画像データを形成する。操作パネル７０は、図示しない複数の入力キーと液晶表示部を備え、液晶表示部の表面にはタッチパネルが積層されている。タッチパネルからのタッチ入力又は入力キーからのキー入力により、ユーザーからの操作（タッチ入力操作、キー入力操作）を受付けることにより、ユーザーから各種の指示（例えば、ＵＲＬ（Uniform Resource Locator）を指定したウェブページの取得要求の指示、動画コンテンツの再生指示）を受取り、制御部１０に通知する。
【００２５】
［２］オートリセット制御処理
図３は、制御部１０が行うオートリセット制御処理の動作を示すフローチャートである。
制御部１０は、操作パネル７０からユーザーのログイン（ユーザーＩＤ及びパスワードの入力）を受付けると（ステップＳ３０１）、タイマー１０５を起動して操作パネル７０の操作が無操作である無操作期間の計測を開始し（ステップＳ３０２）、操作パネル７０の操作の有無を監視する（ステップＳ３０３）。
【００２６】
操作パネル７０の操作が有ると（ステップＳ３０３：ＹＥＳ）、制御部１０は、タイマー１０５をリセット（タイマー１０５の計測時間を０に初期化）し（ステップＳ３０４）、当該操作がウェブページの取得要求である場合には（ステップＳ３０５：ＹＥＳ）、ブラウザプログラム１０４２を実行して当該取得要求に係るウェブサーバーからウェブページを取得する（ステップＳ３０６）。
【００２７】
ここで、ウェブページの取得要求に係るウェブサーバーは、当該取得要求において指定されるＵＲＬの示すドメイン名によって特定されるものとする。
次に制御部１０は、取得したウェブページに動画コンテンツが含まれているか否かを判定する（ステップＳ３０７）。動画コンテンツが含まれているか否かは、例えば、取得したウェブページのソースコードに、動画コンテンツが挿入されている場合に使用される特定のタグ（例えば、「object」タグ、「embed」タグ）が含まれているか否かにより判定することができる。図４は、動画コンテンツを含むウェブページのソースコードの具体例を示す。同図の符号４０１は、「object」タグを、符号４０２は、「embed」タグをそれぞれ表す。
【００２８】
そして、動画コンテンツが含まれている場合に（ステップＳ３０７：ＹＥＳ）、当該動画コンテンツの再生指示を取得すると（ステップＳ３０８：ＹＥＳ）、制御部１０は、動画再生プログラム１０４３を起動して当該動画コンテンツの再生を開始する（ステップＳ３０９）。
再生指示は、動画コンテンツが挿入されているウェブページのソースコードに再生指示に関する情報が記述されている場合には、当該情報を参照することにより取得される。例えば、図４の具体例では、符号４０３で示す「param」タグの記述（<param name="play"value="true"＞の記述）が、動画コンテンツの再生を指示し、符号４０４で示す「param」タグの記述（＜<param name="loop"value="true"＞の記述）が、動画コンテンツの繰り返し再生（ループ再生）を指示している。
【００２９】
又、取得したウェブページの表示に再生指示ボタンが含まれている場合には、操作パネル７０を介してユーザーからの再生指示ボタンの操作を受付けることにより、再生指示が取得される。
次に再生を開始した動画コンテンツの1回分の再生が終了すると（ステップＳ３１０：ＹＥＳ）、制御部１０は、ステップＳ３０２の処理に移行する。ここで、1回分の再生が終了したか否かについての情報は、例えば、実行中のブラウザプログラム１０４２から、ＡＰＩ（Application Programming Interface、例えば、「player.getPlayerState()」、「FLASHINFO[PLAY=1 LET=@FLAG]）を用いて動画再生プログラム１０４３に再生状態を一定時間間隔で問い合わせることにより、取得することとしてもよいし、再生が終了した時に実行中の動画再生プログラム１０４３からブラウザプログラム１０４２へ通知し、当該通知により取得することとしてもよい（例えば、イベントリスナーを登録することにより当該通知を受けることができる）。
【００３０】
又、ステップＳ３１０において、ステップＳ３０２の処理に移行するタイミングは、１回分の再生終了の直後であってもよいし、当該再生終了後、所定時間（例えば、１０秒）経過後にステップＳ３０２の処理に移行することとしてもよい。
又、制御部１０は、無操作期間（ステップＳ３０３の判定結果が否定的である（ステップＳ３０３：ＮＯ）期間）が、所定時間（例えば、５分）に達すると（ステップＳ３１１：ＹＥＳ）、強制ログアウト処理を実行し、ユーザーログイン時にユーザーから入力された認証情報等の各種情報を消去し、操作パネル７０の表示画面をデフォルトの表示画面に戻す（ステップＳ３１２）。
【００３１】
このように、動画コンテンツが再生される場合には、１回分の再生が終了されるまで待った後、タイマー１０５が起動されて無操作期間の計測が開始されるので、無操作期間が所定時間以上になった場合に強制的にログアウト処理が実行される画像形成装置１において、再生された動画コンテンツが最後まで再生されない内に、強制ログアウト処理が実行されないようにすることができる。
【００３２】
又、動画コンテンツの１回分の再生が終了した後は、タイマー１０５が起動されて無操作期間の計測が開始され、無操作期間が所定時間以上になった場合に強制的にログアウト処理が実行されるので、不必要に長い期間、強制ログアウト処理の実行が抑止されないようにすることができ、セキュリティ上支障が生じないようにすることができる。
その結果、無操作期間が所定時間以上になった場合に強制的にログアウト処理が実行される画像形成装置において、ユーザーの動画コンテンツの視聴を妨げることなく、セキュリティを確保することができる。
（変形例）
以上、本発明を実施の形態に基づいて説明してきたが、本発明が上述の実施の形態に限定されないのは勿論であり、以下のような変形例を実施することができる。
【００３３】
（１）本実施の形態では、オートリセット制御処理において、動画コンテンツの再生が開始された場合には、１回分の再生が終了するまで待って、無操作期間の計測を開始することとしたが、動画コンテンツの再生中に、ユーザーが再生を停止した場合には、当該停止時点から無操作期間の計測を開始することとしてもよい。
図５は、上記の場合のオートリセット制御処理の動作の変形例１を示すフローチャートである。同図において、図３に示すオートリセット制御処理におけるステップの処理内容と同一の処理内容については、図３のステップ番号と同一のステップ番号を付与して説明を省略し、以下、図３に示す動作との相違点を中心に説明する。
【００３４】
制御部１０は、ステップＳ３０９において動画コンテンツの再生を開始した後、１回分の再生が終了する前に操作パネル７０からユーザーの再生停止指示を受付けると（ステップＳ５０１：ＹＥＳ）、ステップＳ３０２の処理に移行する。再生停止指示は、例えば、操作パネル７０の液晶表示部に表示されるウェブページに動画コンテンツとともに表示される再生停止ボタンのユーザー操作を、操作パネル７０から受付けることにより取得することができる。
【００３５】
これにより、動画コンテンツ再生中にユーザーの再生停止指示が受付けられ、ユーザーが動画コンテンツの再生を途中で停止した場合には、その時点で無操作期間の計測が開始されるので、その分、不必要に長い期間、強制ログアウト処理の実行が抑止されないようにすることができ、セキュリティを高めることができる。
（２）図６は、ウェブページに複数の動画コンテンツが含まれている場合のオートリセット制御処理の動作の変形例２を示すフローチャートである。同図において、図３に示すオートリセット制御処理におけるステップの処理内容と同一の処理内容については、図３のステップ番号と同一のステップ番号を付与して説明を省略し、以下、図３に示す動作との相違点を中心に説明する。
【００３６】
制御部１０は、ステップＳ３０９において動画コンテンツの再生を開始した後、再生開始した動画コンテンツが複数である場合には（ステップＳ６０１：ＹＥＳ）、再生開始した全ての動画コンテンツの１回分の再生が終了すると（ステップＳ６０２：ＹＥＳ）、ステップＳ３０２の処理に移行する。ステップＳ６０２において、ステップＳ３０２の処理に移行するタイミングは、１回分の再生終了の直後であってもよいし、当該再生終了後、所定時間（例えば、１０秒）経過後にステップＳ３０２の処理に移行することとしてもよい。
【００３７】
これにより、取得したウェブページに複数の動画コンテンツが含まれ、複数の動画コンテンツの再生が開始された場合（例えば、当該ウェブページのソースコードにおいて、複数の動画コンテンツの再生指示がされている場合）には、再生開始した全ての動画コンテンツの１回分の再生が終了した後に無操作期間の計測が開始されるので、ユーザーが再生中の複数の動画コンテンツの何れの動画コンテンツを視聴している場合においても、１回分の再生が終了するまで強制ログアウト処理の実行が抑止され、ユーザーの動画視聴を動画再生の途中で妨げないようにすることができる。
（３）図７は、画像形成装置１が、表示すべきウェブページを切り換えるための複数のタブを操作パネル７０の液晶表示部に表示して、複数の表示タブの中からタブの選択を受け付け、選択されたタブ（以下、「カレントタブ」という。）に対応するウェブページを液晶表示部に表示させるタブブラウザ機能を有し、当該画像形成装置１において取得されたウェブページにおいて動画コンテンツの再生が開始された場合のオートリセット制御処理の動作の変形例３を示すフローチャートである。
【００３８】
タブブラウザ機能においては、カレントタブに対応するウェブページのみが操作パネル７０の液晶表示部に表示され、カレントタブ以外のタブに対応するウェブページは、非表示とされるか、複数のウェブページが重ねて表示される場合には、カレントタブに対応するウェブページが操作パネル７０の液晶表示部の画面において最前面になるように表示される（この場合は、最前面以外に表示されるウェブページは、最前面に表示されるウェブページにより覆い隠されてしまうので、ユーザーは、最前面以外に表示されるウェブページについては、ウェブページの一部分しか見ることができない。）。
【００３９】
図７において、図３に示すオートリセット制御処理におけるステップの処理内容と同一の処理内容については、図３のステップ番号と同一のステップ番号を付与して説明を省略し、以下、図３に示す動作との相違点を中心に説明する。
制御部１０は、ステップＳ３０９において動画コンテンツの再生を開始した後、取得したウェブページに係るタブを生成して、当該タブをカレントタブに設定して操作パネル７０の液晶表示部のタブ表示領域に表示させ、取得したウェブページの動画コンテンツを操作パネル７０の液晶表示部のウェブページ表示領域に表示させる（ステップＳ７０１）。
【００４０】
ここで、ウェブページ表示領域、タブ表示領域は、画像形成装置１において予め設定されているものとする。又、タブ表示領域に表示されるタブが複数の場合には、各タブは、タブ表示領域に別々に表示され、カレントタブとカレントタブ以外のタブが区別できるようにカレントタブの表示態様は、他のタブ表示態様と異なる表示態様で表示されるものとする。
【００４１】
次に制御部１０は、タブ表示領域に複数のタブが表示されている（複数のウェブページが取得されている）場合には（ステップＳ７０２：ＹＥＳ）、カレントタブが切り替えられたか否か（操作パネル７０において、タブ表示領域に表示されている複数のタブの中からカレントタブと異なるタブの選択がユーザーから受け付けられたか否か）を監視し（ステップＳ７０３）、ステップＳ３０９において再生を開始した動画コンテンツの１回分の再生が終了する前に、カレントタブが切り替えられた場合には（ステップＳ７０３：ＹＥＳ）、切り替え後のカレントタブに対応するウェブページをウェブページ表示領域に表示させ、切り替え後のカレントタブに対応するウェブページに再生中の動画コンテンツが含まれているか否かを、ステップＳ３０７の処理の場合と同様にして判定する（ステップＳ７０４）。
【００４２】
なお、動画コンテンツの再生状態に関する情報は、ＡＰＩを用いて動画再生プログラム１０４３から取得される。
ステップＳ７０４の判定結果が肯定的である場合には（ステップＳ７０４：ＹＥＳ）、制御部１０はさらに、カレントタブに係る動画コンテンツの１回分の再生が終了したか否かを判定し（ステップＳ７０５）、終了した場合には（ステップＳ７０５：ＹＥＳ）、ステップＳ３０２の処理に移行する。
【００４３】
一方、ステップＳ７０４の判定結果が否定的である場合には（ステップＳ７０４：ＮＯ）、制御部１０は、ステップＳ３０２の処理に移行する。又、ステップＳ７０５の判定結果が否定的である場合には（ステップＳ７０５：ＮＯ）、制御部１０は、ステップＳ７０３の処理に移行し、ステップＳ７０３の判定結果が否定的である場合には（ステップＳ７０３：ＮＯ）、ステップＳ７０５の処理に移行する。
【００４４】
これにより、タブブラウザ機能を有する画像形成装置において、カレントタブに対応するウェブページに再生中の動画コンテンツが含まれていない場合には、カレントタブ以外のタブに対応するウェブページに動画コンテンツが含まれていて当該動画コンテンツが再生されている場合でも、無操作期間の計測が開始されるので、再生中の動画コンテンツが表示されておらず、ユーザーが動画を視聴していない場合にまで不必要に無操作期間の計測の開始を遅らせて強制ログアウト処理が実行されるのが遅れないようにすることができ、その分、早く他人の不正アクセスを防止することができ、セキュリティを高めることができる。
【００４５】
（４）図８は、動画コンテンツの再生中に新たに動画コンテンツの再生指示を取得し  
た場合におけるオートリセット制御処理の動作の変形例４を示すフローチャートである。
同図において、図３に示すオートリセット制御処理におけるステップの処理内容と同一の処理内容については、図３のステップ番号と同一のステップ番号を付与して説明を省略し、以下、図３に示す動作との相違点を中心に説明する。
【００４６】
制御部１０は、ステップＳ３０９において動画コンテンツの再生を開始した後、１回  
分の再生が終了する前に操作パネル７０の操作があり（ステップＳ８０１：ＹＥＳ）、当該操作がウェブページの取得要求である場合には（ステップＳ８０２：ＹＥＳ）、当該取得要求に係るウェブサーバーからウェブページを新たに取得する（ステップＳ８０３）。
そして、制御部１０は、新たに取得したウェブページに動画コンテンツが含まれているか否かを、ステップＳ３０７の処理の場合と同様にして判定し（ステップＳ８０４）、動画コンテンツが含まれている場合に（ステップＳ８０４：ＹＥＳ）、当該動画コンテンツの再生指示を取得すると（ステップＳ８０５：ＹＥＳ）、制御部１０は、動画再生プログラム１０４３を起動して当該動画コンテンツの再生を新たに開始し（ステップＳ８０６）、直前に再生を開始した動画コンテンツの１回分の再生が終了すると（ステップＳ８０７：ＹＥＳ）、ステップＳ３０２の処理に移行する。ステップＳ８０７において、ステップＳ３０２の処理に移行するタイミングは、１回分の再生終了の直後であってもよいし、当該再生終了後、所定時間（例えば、１０秒）経過後にステップＳ３０２の処理に移行することとしてもよい。
【００４７】
これにより、動画コンテンツの再生開始後、動画再生の終了を待っている間に、新たな動画再生の指示が受付けられた場合には、新たな動画再生が１回終了するまで待ってから、無操作期間の計測が開始されるので、動画再生中にユーザーが新たな動画の再生を開始し、新たな動画の視聴を開始した場合においても当該動画視聴が動画再生途中で妨げられないようにし、ユーザーの動画視聴を確保することができる。
【００４８】
（５）本実施の形態では、ウェブページに含まれる動画コンテンツについて、オートリセット制御処理を実行することとしたが、本実施の形態のオートリセット制御処理を適用できる動画コンテンツは、ウェブページに含まれる動画コンテンツに限定されない。例えば、予めＨＤＤ１０４に動画コンテンツを記憶させておき、当該動画コンテンツを再生する場合においても同様に適用することができる。（１）〜（４）の変形例についても同様である。
【００４９】
（６）本実施の形態では、画像形成装置において、オートリセット制御処理を実行することとしたが、当該処理は、動画を再生する機能を有し、ユーザーによる操作が検出されない無操作期間が所定時間以上になった場合に、強制的にログアウト処理を実行する装置であれば、画像形成装置以外の他の装置においても同様に適用することができる。（１）〜（５）の変形例においても同様である。例えば、端末装置２、３が、本実施の形態の制御部１０と同様の構成要素を備えることとし、端末装置２、３においてオートリセット制御処理を実行することとしてもよい。
【００５０】
（７）本実施の形態及び（１）〜（４）の変形例におけるオートリセット制御処理においては、動画コンテンツの１回分の再生が終了すると（図３、図５、図６のステップＳ３１０：ＹＥＳ、図６のステップＳ６０２：ＹＥＳ、図７のステップ７０５：ＹＥＳ）、図８のステップＳ８０７：ＹＥＳ）、タイマー１０５を起動する(ステップＳ３０２)こととしたが、タイマー１０５を起動するまでの動画コンテンツの再生回数は、１回分に限定されない。当該再生回数は、ループ再生のように、動画再生の終了がない、無限の回数ではなく、有限の所定回数（例えば、２回）であれば良く、例えば、ログイン時にユーザーが当該再生回数を指定することとしてもよい。
【産業上の利用可能性】
【００５１】
本発明は、ユーザーのログイン後、ユーザーによる操作が検出されない無操作期間が所定時間以上になった場合に、強制的にログアウト処理を実行する、動画再生可能な画像形成装置及び動画再生装置に関し、特に動画再生時における強制ログアウト処理を制御する技術として利用できる。
【符号の説明】
【００５２】
１                      画像形成装置
２、３                  端末装置
４                      ＬＡＮ
２０                    ウェブサーバー
２１                    インターネット
３０                    画像プロセス部
４０                    給紙部
５０                    定着装置
６０                    画像読取部
７０                    操作パネル
１００                  ＣＰＵ
１０１                  通信Ｉ／Ｆ部
１０２                  ＲＯＭ
１０３                  ＲＡＭ
１０４                  ＨＤＤ
１０５                  タイマー
１０４１                印刷用画像データ
１０４２                ブラウザプログラム
１０４３                動画再生プログラム
１０４４                ＯＳ
【図１】
2015070584.tif 000003
【図２】
2015070584.tif 000004
【図３】
2015070584.tif 000005
【図４】
2015070584.tif 000006
【図５】
2015070584.tif 000007
【図６】
2015070584.tif 000008
【図７】
2015070584.tif 000009
【図８】
2015070584.tif 000010